(57)【要約】【課題】誕生記念人形として、棚上に飾って何時でも見ることができる人形の頭髪として乳児の柔らかい産毛又は毛を使用すること。【解決手段】乳児から採集した産毛又は毛の本毛１について抗菌処理を施して、合成樹脂や天然物により型造りした人形の頭部２に接着剤や係止具４を使用して取り付けて人形の頭髪の一部を形成し、人形本体８に衣服を着用してなる構成である。【選択図】        図１
2004154386.tif 000002
【特許請求の範囲】
【請求項１】
乳児の産毛又は毛を適宜量採集し、これを抗菌処理して、合成樹脂や天然物により型造りした人形の頭部に接着剤や係止具を使用して取り付けて人形の頭髪を形成し、この人形に衣服を着用させてなることを特徴とする誕生記念人形。
【請求項２】
前記人形の頭髪が、乳児の産毛又は毛と飾り毛とを混毛したものであることを特徴とする請求項１に記載の誕生記念人形。
【請求項３】
乳児の産毛又は毛から作られた頭髪を備えた人形の頭部に帽子等を着用させたことを特徴とする請求項１または請求項２に記載の誕生記念人形。
【請求項４】
前記人形の前頭部の一部に前髪として前記乳児の産毛又は毛を取り付け、この人形の頭部の産毛又は毛部分以外の頭部表面を髪色に着色させ、前記産毛又は毛の接着または係止部分が帽子により被覆されていることを特徴とする誕生記念人形。
【請求項５】
乳児から採集した前記産毛又は毛について表面加工処理をして、この産毛又は毛が人形の頭部の曲面に沿って形成して頭部表面に取り付けてあることを特徴とする請求項１乃至請求項４に記載の誕生記念人形。
【発明の詳細な説明】
【０００１】
【発明の属する技術分野】
本発明は、乳児の産毛又は毛を人形の頭髪に使用して誕生記念とする誕生記念人形に関する。
【０００２】
【従来の技術】
従来から子供の誕生記念として一般的には乳幼児の頃のものを種々の方法で保存することが行なわれている。例えば、「臍の緒」が命名紙などと共にお守り袋等に入れて保管されている。また、誕生した日に発行された印刷物、新聞などを保存すること、特に、昨今では手形、足形を取って人形ケースなどに入れて飾るものや産毛の柔らかさから筆として記念筆なども製作されている。
例えば、特開昭５１−１４４３３３号公報、特開昭５５−１６９号公報、特開２００１−１９９１９６号公報等や実開平４−４７４８８号公報等が知られている。実開平４−４７４８８号公報に記載されるものは、人形の身体に取付ける守護袋や人形の装飾小道具内に臍の緒等と共に産毛を収納して保管する人形などもある。また、産毛を保管するものとしては、実用新案登録第３０４０４４０号明細書が知られている。特開２００１−１９９１９６号公報に記載されるものは、幼児の涙液を保存するものである。
これら人形は収納箇所を収納する記念物や収納場所を特定化しており、特に、産毛についてはその柔らかさから記念品として筆などにも多く使用されている。
【０００３】
【発明が解決しようとする課題】
従来は、産毛やへその緒などは小道具や小箱等に収納して箪笥や水引棚などの箪笥や金庫などに保管されていて通常余り見えるところには収納されず、隠れて保管されるのが常であった。従って、思い出として日の目を見ることはまれであつた。
この発明の課題は、棚上に飾って何時でも見ることができる人形の頭髪として乳児の柔らかい産毛又は毛を使用するもので、記念になる誕生記念人形を提供することである。
【０００４】
【課題を解決するための手段】
この発明の前記課題は、下記のような構成によって達成することができる。
乳児の産毛又は毛を適宜量採集し、これを抗菌処理して、合成樹脂や天然物により型造りした人形の頭部に接着剤や係止具を使用して取り付けて人形の頭髪を形成し、人形本体に衣服を着用してなる誕生記念人形の構成である。
【０００５】
また、前記人形の頭髪が、前記乳児の産毛又は毛と飾り毛とを混毛したものである構成、及び産毛又は毛から作られた頭髪を備えた人形の頭部に帽子等を着用させた誕生記念人形の構成によっても前記課題は達成できる。
更に、前記人形の前頭部の一部に前髪として前記乳児の産毛又は毛を取り付け、この人形の頭部の産毛又は毛部分以外の頭部表面を髪色に着色させ、前記産毛又は毛の接着または係止部分が帽子により被覆されている構成、乳児から採集した前記産毛又は毛について表面加工処理をして、この産毛又は毛が人形の頭部の曲面に沿って形成して頭部表面に取り付けてある構成によって達成できる。
【０００６】
本発明の誕生記念人形は、人形の頭髪に使用するから従来のような筆や小箱に収納するものより可愛い人形となる。その上棚上などに飾っても自然であり、記念品としてすこぶる良いものである。特に、人形ケースに入れて、金色の銘板を使用して、これに生年月日や時刻、生まれ日の天候、気温、身長、体重などの記録を記入しておけば何時までも記憶に残るものである。また、同一のケース内に写真入れてもよい。
【０００７】
また、人形の前頭部分の前髪だけを産毛や毛で構成し、他の頭部分は黒色に着色し、産毛などの接着、係止部分を帽子などで被覆することによりより可愛い人形を製造することができる。
更に、頭部に接着剤または係止具で係止する場合に乳児の産毛又は毛に他の装飾用の毛髪とを混合して使用することもできる。
特に、産毛は細く、ストレートになりがたく、くせ毛もあり人形の頭部の曲面になじまないものもあり、このような時は、産毛等に加熱こてなどを使用して加工すると、可愛らしく頭髪の容を整えて形成することができる。また、この産毛に樹脂スプレーなどを施してつやだしを行なうこともできる。
【０００８】
【発明の実施の形態】
本発明に係る誕生記念人形について図面に示される好ましい実施形態を用いて詳細に説明する。
図１に示すのは本発明の誕生記念人形の実施形態の正面図である。図２は本発明誕生記念人形の他の実施形態の説明図である。図３は本発明誕生記念人形に本毛を係止した状態を示す実施形態の側面図である。図４は図３の上面図である。図５は本発明誕生記念人形に使用する本毛を係止する係止具の実施形態の説明図である。
【０００９】
図１に示された誕生記念人形は、材木、粘土、紙粘土などの天然物やポリビニールのような合成樹脂によって型造する。この人形の頭部２として胴体部分と一体に形成してあってもよく、首から上の頭部を着脱自在に形成してあっても良い。
このように形成してある人形の頭部の表面は無色でも良いが、肌色に着色してもある。場合によっては髪色（黒色）に頭部表面を着色する。図３に示されるように人形の頭部２の表面を黒色に塗って着色部３としてある。
【００１０】
一方、乳児の産毛または毛はそのまま使用することも出来るが、毛髪は一般に湿気を吸収し易く、膨潤するので、長期間放置すると悪臭を発生するおそれがある。従って、採集した毛髪を表面加工して防湿性にする。例えば、撥水性の樹脂をスプレーしておくと好ましい。このようなスプレー加工すると本毛１がストレートに延伸するので前髪が整髪しやすくなる。
【００１１】
生まれて６ケ月位経過した乳児の産毛又は毛の本毛１の一部を束ねて約５ｃｍ程度の長さでカットする。これを人形本体８の前頭部２の所定の位置に配置し、前髪を構成する部分で加熱こて等を使用して髪形を額の曲線に合わせてカールさせて調整して、可愛よく仕上げて、切断部分を接着剤にて頭部２に接着する。前髪部分を形成する本毛１を頭部に接着するときに一般的に使用されている両面テープを使用してもよい。
【００１２】
また、本発明の誕生記念人形の頭部２に本毛１を係止する係止具４の実施態様について説明する。
図５ａは、接合片４ａと押圧片４ｂとの二枚からなる係止具４の斜視図である。
これら接合片４ａ，押圧片４ｂは図面に示されるように円弧状に形成された板片を湾曲させたものである。これら接合片４ａ，押圧片４ｂの両端部分に人形の頭部２にねじ止めするねじ穴が穿ってある。この接合片４ａの表面の湾曲部分に乳児の頭部から採集した産毛や毛の束の本毛１を載置して仮接着する。この接着面に押圧片４ｂを重ねて押圧すると本毛１は挟着部分で円弧状に拡がり、毛１本１本の重なりが無くなり、係止具４の長手方向に全体に広がる。この状態で仮ねじ止めする。                                                  一
【００１３】
このような係止具４ａ，４ｂを使用すると、予め係止具４に本毛１のみ取り付け、この係止具４の取り付け位置を色々変えて人形の形にあった容姿を作ることができる。しかもねじ止めにより固着できるから確実に本毛１が頭髪面に形成でき、しかも簡易に人形の頭部に本毛１を固着することができる。
【００１４】
このようにして係止具４に本毛１を固着した状態で、本毛１の先端部分に加熱こてを使用してカールなどの整髪して容姿を整える。次に、この係止具４を人形の頭部の前頭部に配置して、ねじピンなどによって係止具４を頭部に固着する。
この人形に衣服を着用させ、頭部全体に帽子５を被せて、本毛１の接合部分を被覆して本毛１でできている前髪を前面に出して完成する。
また、かつらに使用されている剥離紙の付着した係止具４や取付具等を利用して頭部２に取り付けることも可能である。本毛１を頭部２に接着するときに接着剤を使用せずに縫い付けることもできる。
【００１５】
人形本体８の頭部２に貼り付けた後、幼児用の帽子５やネッカチーフを被せて接着部分を被覆することにより接着部分を隠すことができる。このようにして型造りした人形に誕生日を記入して人形本体８に記念日を明記することにより記念になり、その他に血液型、身長、体重、天候、病院名などを記名しておいても良い。また、これら記念事項は金箔を施した銘板６を利用して図面に示されるように人形ケース７内に配置してもよい。この人形ケース内に写真などを入れておくとよい。その他の小道具としてへその緒を収納したお守り袋を人形本体８に取付けるようにする。更に、この人形の中に音声発生録音装置、ＩＣチップを内蔵し、乳幼児期の泣き声を発生させても楽しいひとときを過ごすことが出来る。
【００１６】
この人形に着せ替用の衣服を数着用意して、季節の変わり目に衣替えをすることができ楽しむことができる。
このようにして作成した人形に衣服を着けて、立った状態にして棚上に飾ることもできるが、図面に示すように人形の損傷を防止するためにケースに入れておくとよい。また椅子に座らせた状態にしても乳児らしく見せることもできる。このように頭髪に本毛１を使用するから何時までも記念の思い出を楽し′める。
【００１７】
【発明の効果】
以上のように本発明の誕生記念人形は、頭部に産毛を使用するから何時までも思い出品として記念になる。特に、飾り棚や卓上に飾った場合も通常の人形に比して印象に強く残るものとなる。しかも乳幼児の頭髪を使用するから通常の人工頭髪に仕較して柔らかく肌触りのよいものである。
【図面の簡単な説明】
【図１】本発明の誕生記念人形の実施形態の正面図である。
【図２】本発明誕生記念人形の他の実施形態の説明図である。
【図３】本発明誕生記念人形に本毛を係止した状態を示す実施形態の側面図である。
【図４】図３の上面図である。
【図５】本発明誕生記念人形に使用する本毛を係止する係止具の実施形態の説明図である。
【符号の説明】
１        本毛
２        頭部
３        着色部
４        係止具
５        帽子
６        銘板
７        ケース
８        人形本体
【図１】
2004154386.tif 000003
【図２】
2004154386.tif 000004
【図３】
2004154386.tif 000005
【図４】
2004154386.tif 000006
【図５】
2004154386.tif 000007